(57)【要約】      （修正有）【課題】屋外側から開錠されてもドアを開けることが出来ないようにする安価な住宅ドア開防止装置を提供することを目的とする。【解決手段】住宅ドアの握り玉錠３のノブに載せ、ドア枠２，２間に架構した支持材５と、この支持材５の下面に取り付けた、握り玉錠３のネック部４ａを挟持する一対の挟持金物７と、支持材５を前後に移動しないように保持する一対の保持金物８と、支持材５を下面から水平に支持する支持金物６とよりなる住宅ドア開防止装置。【選択図】図１
2005068986.tif 000002
【特許請求の範囲】
【請求項１】
住宅の開き戸（ドア）の握り玉錠のノブに載せ、戸当り部に当てて戸枠（ドア）間に架構する支持材と、この支持材をノブに載せたとき、ノブのネック部分を挟持する同支持材の下面に取り付けた挟持金物と、前記支持材をノブに載せるとき、その両端部を嵌めて前後に移動しないように保持するドア枠に取り付けた保持金物と、前記支持材を保持金物に嵌めてノブに載せたとき、同支持材をノブとともに支持するノブの反対側のドア枠に取り付けた支持金物とよりなる住宅ドア開防止装置。
【請求項２】
住宅の開き戸（ドア）のレバーハンドル錠のレバーに載せ、戸当り部に当てて戸枠（ドア）間に架構する支持材と、この支持材をレバーに載せたとき、レバーのネック部分を挟持する同支持材の下面に取り付けた挟持金物と、前記支持材をレバーに載せるとき、その両端部を嵌めて前後に移動しないように保持するドア枠に取り付けた保持金物と、前記支持材を保持金物に嵌めてレバーに載せたとき、同支持材をレバーとともに下から支持するレバーの反対側のドア枠に取り付けた支持金物とよりなる住宅ドア開防止装置。
【発明の詳細な説明】
【技術分野】
【０００１】  本発明は、ピッキング、サムターン回し、カム回し等の屋外からの開錠を受けても、屋外からドアが開かないようにする装置に関するものである。
【背景技術】
【０００２】  従来の住宅ドアは、内側からナイトチェーン、安全ロック等も施して戸締りしていても、簡単に開錠されて開けられてしまう。最新式のロックもあるが、費用がかかり過ぎて実用的でない。
【発明の開示】
【０００３】  本発明は、屋外側から開錠されてもドアを開けることが出来ないようにする安価な住宅ドア開防止装置を提供することを目的とする。
【課題を解決するための手段】
【０００４】  本発明が提供する住宅ドア開防止装置は、次の（１）及び（２）に記載するものである。
（１）  住宅の開き戸（ドア）の握り玉錠のノブに載せ、戸当り部に当てて戸枠（ドァ）間に架構する支持材と、この支持材をノブに載せたとき、ノブのネック部分を挟持する同支持材の下面に取り付けた挟持金物と、前記支持材をノブに載せるとき、その両端部を嵌めて前後に移動しないように保持するドア枠に取り付けた保持金物と、前記支持材を保持金物に嵌めてノブに載せたとき、同支持材をノブとともに水平に支持するノブの反対側のドア枠に取り付けた支持金物とよりなる住宅ドア開防止装置。
（２）  住宅ドアの開き戸（ドア）のレバーハンドル錠のレバーに載せ、戸当り部に当てて戸枠（ドア）間に架構する支持材と、この支持材をレバーに載せたとき、レバーのネック部分を挟持する同支持材の下面に取り付けた挟持金物と、前記支持材をレバーに載せるとき、その両端部を嵌めて前後に移動しないように保持するドア枠に取り付けた保持金物と、前記支持材を保持金物に嵌めてレバーに載せたとき、同支持材をレバーとともに下から水平に支持するレバーの反対側のドア枠に取り付けた支持金物とよりなる住宅ドア開防止装置。
【発明の効果】
【０００５】  上述説明したように、本発明によれば、上述のような構成としたので、ピッキング、サムターン回し、カム回し等の屋外からの開錠を受けても、ドアを開けることが出来ない。
【発明を実施するための最良の形態】
【０００６】  以下、本発明を実施するための最良の形態を実施例によって説明する。
【実施例１】
【０００７】  実施例１は、図１及び図２に示すように、握り玉錠に設けた住宅ドア開防止装置である。図において、１は外開きのドアで、１ａはその蝶番である。２はドア１のドア枠で、２ａはこれに設けた戸当り部である。３はドア１に取り付けた握り玉錠、４はそのノブである。【０００８】  ５は、ノブ４に載せ、戸当り部２ａ，２ａに当てがって、ドア枠２，２の間に架構した支持材である。６はこの支持材５をノブ４とともに下面から支持する支持金物である。【０００９】  ７，７は支持材５の下面に取り付けた左右一対の挟持金物である。この挟持金物７，７は、支持材５の架構状態において、ノブ４のネック部分４ａを丁度挟持する位置に取り付けられている。８は、前記支持材をノブに載せたとき、その両端部を嵌めて前後に移動しないように保持するドア枠に取り付けた保持金物である。【００１０】  実施例１の住宅ドア開防止装置は、このような構成になっているので、ドア１に設置する場合は、二つの挟持金物７をノブのドア側に垂下させ、支持材５の左端部を保持金物８に嵌めてノブの上に載せ、支持材の右端部を保持金物８に嵌めて支持材６に載せる。【００１１】  一旦装着すれば、無断侵入者等が開錠して、ドアを外側へ開けようとしても、挟持金物７，７でノブのネック部分が挟持され、支持材５が戸当り部２ａ、２ａに当てがわれているので、簡単に開けることは出来ない。
【実施例２】
【００１２】  実施例２は、図３及び図４に示すように、レバーハンドル錠に設けた住宅ドア開防止装置である。【００１３】  図において、１１は外開きのドアで、１１ａはその蝶番である。１２はドア１１のドア枠で、１２ａはこれに設けた戸当り部である。１３はドア１１に取り付けたレバーハンドル錠、１４はそのハンドルである。【００１４】  １７は支持材１５の下面のドア側に垂下した挟持金物である。この挟持金物１７は、支持材１５の架構状態において、レバーハンドルが回転してもドアが外に開かない範囲の位置に取り付けた挟持金物である。１８は、前記支持材をレバーに載せたとき、その両端を嵌めて前後に移動しないように保持する保持金物である。【００１５】  実施例２の住宅ドア開防止装置は、このような構成になっているので、ドア１１に設置する場合は、一つの挟持金物１７をレバーハンドルのドア側に垂下させ、支持材１５の左端部を保持金物１８に嵌めてレバーハンドルの上に載せ、支持材の右端部を保持金物１８に嵌めて支持材１６に載せる。【００１６】  一旦装着すれば、無断侵入者等が開錠して、ドアを外側へ開けようとしても、挟持金物１７でハンドルの回転範囲（普通３０°位）以内に位置を保持し、外開きドアが屋外に動けない状態を保つことができる、しかも、支持材１５が戸当り部１２ａ，１２ａに当てがわれているので、簡単に開けることは出来ない。
【図１】
2005068986.tif 000003
【図２】
2005068986.tif 000004
【図３】
2005068986.tif 000005
【図４】
2005068986.tif 000006
【手続補正書】
【提出日】平成16年2月3日(2004.2.3)
【手続補正１】
【補正対象書類名】明細書
【補正対象項目名】全文
【補正方法】変更
【補正の内容】
【発明の詳細な説明】
【技術分野】
【０００１】  本発明は、ピッキング、サムターン回し、カム回し等の屋外からの開錠をうけても、屋外からドアが開かないようにする装置に関するものである。
【背景技術】
【０００２】  従来の住宅ドアは、内側からナイトチェーン、安全ロック等も施して戸締りしていても、簡単に開錠されて開けられてしまう。最新式のロックもあるが、費用がかかり過ぎて実用的でない。
【発明の開示】
【０００３】  本発明は、屋外側から開錠されてもドアを開けることが出来ないようにする安価な住宅ドア開防止装置を提供することを目的とする。
【課題を解決するための手段】
【０００４】  本発明が提供する住宅ドア開防止装置は、次の（１）及び（２）に記載するものである。
（１）  住宅の開き戸（ドア）の握り玉錠のノブに載せ、戸当り部に当てて戸枠（ドア）間に架構する支持材と、この支持材をノブに載せたとき、ノブのネック部分を挟持する同支持材の下面に取り付けた挟持金物と、前記支持材をノブに載せたとき、その両端部を嵌めて前後に移動しないように保持するドア枠に取り付けた保持金物と、前記支持材を保持金物に嵌めてノブに載せたとき、同支持材をノブとともに水平に支持するノブの反対側のドア枠に取り付けた支持金物とよりなる住宅ドア開防止装置。
（２）  住宅の開き戸（ドア）のレバーハンドル錠のレバーに載せ、戸当り部に当てて戸枠（ドア）間に架構する支持材と、この支持材をレバーに載せたとき、レバーのネック部分を挟持する同支持材の下面に取り付けた挟持金物と、前記支持材をレバーに載せるとき、その両端部を嵌めて前後に移動しないように保持するドア枠に取り付けた保持金物と、前記支持材を保持金物に嵌めてレバーに載せたとき、同支持材をレバーとともに下から水平に支持するレバーの反対側のドア枠に取り付けた支持金物とよりなる住宅ドア開防止装置。
【発明の効果】
【０００５】  上記説明したように、本発明によれば、上述のような構成としたので、ピッキング、サムターン回し、カム回し等の屋外からの開錠を受けても、ドアを開けることが出来ない。
【発明を実施するための最良の形態】
【０００６】  以下、本発明を実施するための最良の形態を実施例によって説明する。
【実施例１】
【０００７】  実施例１は、図１及び図２に示すように、握り玉錠に設けた住宅ドア開防止装置である。図において、１は外開きのドアで、１ａはその蝶番である。２はドア１のドア枠で、２ａはこれに設けた戸当り部である。３はドア１に取り付けた握り玉錠、４はそのノブである。【０００８】  ５は、ノブ４に載せ、戸当り部２ａ、２ａに当てがって、ドア枠２，２の間に架構した支持材である。６はこの支持材５をノブ４とともに下面から支持する支持金物である。【０００９】  ７，７は支持材５の下面に取り付けた左右一対の挟持金物である。この挟持金物７，７は、支持材５の架構状態において、ノブ４のネック部分４ａを丁度挟持する位置に取り付けられている。８は、前記支持材をノブに載せたとき、その両端部を嵌めて前後に移動しないように保持するドア枠に取り付けた保持金物である。【００１０】  実施例１の住宅ドア開防止装置は、このような構成になっているので、ドア１に設置する場合は、二つの挟持金物７をノブのドア側に垂下させ、支持材５の左端部を保持金物８に嵌めてノブの上に載せ、支持材の右端部を保持金物８に嵌めて支持材６に載せる。【００１１】  一旦装着すれば、無断侵入者等が開錠して、ドアを外側へ開けようとしても、挟持金物７，７でノブのネック部分が挟持され、支持材５が戸当り部２ａ、２ａに当てがわれているので、簡単に開けることは出来ない。
【実施例２】
【００１２】  実施例２は、図３及び図４に示すように、レバーハンドル錠に設けた住宅ドア開防止装置である。【００１３】  図において、１１は外開きのドアで、１１ａはその蝶番である。１２はドア１１のドア枠で、１２ａはこれに設けた戸当り部である。１３はドア１１に取り付けたレバーハンドル錠、１４はそのハンドルである。【００１４】  １７は支持材１５の下面のドア側に垂下した挟持金物である。この挟持金物１７は、支持材１５の架構状態において、レバーハンドルが回転してもドアが外に開かない範囲の位置に取り付けた挟持金物である。１８は、前記支持材をレバーに載せたとき、その両端を嵌めて前後に移動しないように保持する保持金物である。【００１５】  実施例２の住宅ドア開防止装置は、このような構成になっているので、ドア１１に設置する場合は、一つの挟持金物１７をレバーハンドルのドア側に垂下させ、支持材１５の左端部を保持金物１８に嵌めてレバーハンドルの上に載せ、支持材の右端部を保持金物１８に嵌めて支持材１６に載せる。【００１６】  一旦装着すれば、無断侵入者等が開錠して、ドアを外側へ開けようとしても、挟持金物１７でハンドルの回転範囲（普通３０°位）以内に位置を保持し、外開きドアが屋外に動けない状態を保つことが出来る。しかも、支持材１５が戸当り部１２ａ，１２ａに当てがわれているので、簡単に開けることは出来ない。
【図面の簡単な説明】
【００１７】
【図１】  実施例１の住宅ドア開防止装置の正面図である。
【図２】  図１のＡ−Ａ間の断面図である。
【図３】  実施例２の住宅ドア開防止装置の正面図である。
【図４】  図２のＢ−Ｂ間の断面図である。
【符号の説明】
【００１８】  １，１１          外開きドア
１ａ，１１ａ      蝶番
２，１２          ドア枠
２ａ，１２ａ      戸当り部
３                握り玉錠
４                ノブ
４ａ              ノブネック部
５、１５          支持材
６，１６          支持金物
７，１７          挟持金物
８，１８          保持金物
９，１９          床
１３              レバーハンドル錠
１４              レバーハンドル
2005068986.tif 000007
2005068986.tif 000008